(57)【要約】【課題】  歩行者が通路を進行するときに、より自然に歩行者の誘導が行える埋め込み型表示灯及びこれを備えた歩行者誘導用表示システムを供給すること。【解決手段】光を透過する表示パネル１ａが路面と略同一面になるように埋設される表示部１と、表示パネル１ａよりも下方に設けられた発光部３と、を備え、表示パネル１ａから放出される光によって歩行者が誘導される埋め込み型表示灯Ａにおいて、表示パネル１ａは、歩行者が埋め込み型表示灯Ａに向かって進む方向により、同歩行者から見たときの色が異なって見えるものであることを特徴とする埋め込み型表示灯。【選択図】        図１
2005344306.tif 000002
【特許請求の範囲】
【請求項１】
光を透過する表示パネルが路面と略同一面になるように埋設される表示部と、表示パネルよりも下方に設けられた発光部と、を備え、前記表示パネルから放出される光によって歩行者が誘導される埋め込み型表示灯において、前記表示パネルは、歩行者が埋め込み型表示灯に向かって進む方向により、同歩行者から見たときの色が異なって見えるものであることを特徴とする埋め込み型表示灯。
【請求項２】
前記表示部は、表示パネルから垂直方向に鋭角であって水平方向に第１の範囲で放出される第１の放出光と、表示パネルから垂直方向に鋭角であって水平方向に前記第１の範囲とは異なる第２の範囲で放出される第２の放出光と、を放つものであり、第１の放出光と第２の放出光とを色の異なる光としたことを特徴とする埋め込み型表示灯。
【請求項３】
前記表示部は、表示パネルから垂直方向に鋭角であって水平方向に所定の範囲で放出される放出光を複数放つものであり、この複数の放出光を互いに水平方向にずれた色の異なる光としたことを特徴とする埋め込み型表示灯。
【請求項４】
第１の放出光を放つための指向性を有する第１光源と第２の放出光を放つための指向性を有する第２光源とを背中合わせに配置した光源部を複数設け、この複数の光源部を第１光源の向きを揃えて表示パネルの下方に配置して前記発光部を構成したことを特徴とする請求項２記載の埋め込み型表示灯。
【請求項５】
前記発光部は、第１の放出光を放つための指向性を有する第１発光部と第２の放出光を放つための指向性を有する第２発光部とを備え、第１発光部を前記表示部の周縁一方側の下方に、第２発光部を前記表示部の周縁他方側の下方に、配置したことを特徴とする請求項２又は３記載の埋め込み型表示灯。
【請求項６】
請求項１乃至４記載の埋め込み型表示灯を通路に沿って線状に点在させたことを特徴とする歩行者誘導用表示システム。
【請求項７】
前記歩行者誘導用表示システムを通路の両側に設け、通路に沿って両側の歩行者誘導用表示システムを見たときに一方側に設けられた歩行者誘導用表示システムと他方側に設けられた歩行者誘導用表示システムとで色が異なって見えるものとしたことを特徴とする歩行者誘導用表示システム。
【発明の詳細な説明】
【技術分野】
【０００１】
本発明は、歩行者を誘導するための埋め込み型表示灯及びこれを備えた歩行者用表示システムに関する。
【背景技術】
【０００２】
この種の埋め込み型表示灯としては、特開２００１−２６６６０２号公報に開示されたものがある。図９は、これに開示された埋め込み型表示灯の平面図、図１０は、この埋め込み型表示灯を基台に取り付けたときの断面図である。
この埋め込み型表示灯は、上面が路面と略同一面になるように埋設される表示部１と、表示部１よりも下方に設けられた発光部３と、発行部３から放出された光を表示部１に伝達するためのプリズム２と、を備えて構成されている。
表示部１には、プリズム２から放出された光を斜め上方に放出させるための斜め上方に向かって形成された一対の光導出溝１ｄが互いに反対方向に向けて、かつ、互いにずらして設けられている。
【０００３】
このものは、発光部３から放出された光をプリズム２で光導出溝１ｄに伝達し、光導出部１ｄから光が放出されるものとなる。
そして、このときに放出される光は、この埋め込み型表示灯から側方に広がるものとなるので、歩行者や運転者は、比較的遠方からでもこの埋め込み型表示灯を認識しやすいものとなる。
さらに、この埋め込み型表示灯を道路のセンターラインや道路脇等に連続して埋設することで、歩行者や運転者は、遠方の道路の形状を知ることができるものとなる。すなわち道路が右カーブなのか左カーブなのか、また、その曲がり具合は、急なのか、穏やかなものなのかなどを知ることができるものとなる。
【特許文献１】特開２００１−２６６６０２号公報
【発明の開示】
【発明が解決しようとする課題】
【０００４】
ところで大きな催し物などが行われる会場や駅の周辺では、通行規制をかけて人がスムーズに移動できるようにしている通路がある。
このような通路では、歩行者に、その通路は、右側通行であることや、一方通行であることなどを認識させる必要があるが、前記した埋め込み型表示灯では、歩行者にこれを認識させることはできなかった。従って、一般的には、掲示板やアナウンスなどでこれを歩行者に認識させているが、より自然に歩行者の誘導が行えるものが望まれていた。
【０００５】
本発明は、上記事由に鑑みてなしたもので、その課題は、歩行者が通路を進行するときに、より自然に歩行者の誘導が行える埋め込み型表示灯及びこれを備えた歩行者誘導用表示システムを供給することにある。
【課題を解決するための手段】
【０００６】
本発明の埋め込み型表示灯は、光を透過する表示パネルが路面と略同一面になるように埋設される表示部と、表示パネルよりも下方に設けられた発光部と、を備え、前記表示パネルから放出される光によって歩行者が誘導される埋め込み型表示灯において、前記表示パネルは、歩行者が埋め込み型表示灯に向かって進む方向により、同歩行者から見たときの色が異なって見えるものであることを特徴とする。
【発明の効果】
【０００７】
請求項１記載の発明にあっては、歩行者が埋め込み型表示灯に向かって進む方向により、同歩行者から表示パネルを見たときの色が異なって見えるものに表示パネルをしたので、例えば、ある方向から表示パネルを見たときに赤色、この反対側から見たときに青色、に見えるものにしておけば、歩行者が通路を進行するときは、青色の光に導かれるので、より自然と歩行者の誘導が行えるものとなる。
【発明を実施するための最良の形態】
【０００８】
（第１の実施の形態）
本発明の請求項１、２、４、６、７に対応した第１の実施の形態を図１〜図６を用いて説明する。図１は埋め込み型表示灯を側方から見たときの断面図、図２はこのものの平面図、図３はこのものを路面に埋設したときの説明図、図４はこのものを上部から見た図で表示パネルから放出される放出光を説明するための模式図、図５はこのものを通路に設置して歩行者誘導用表示システムとしたときの上面図、図６はこのものを通路に設置して歩行者誘導用表示システムとしたときの投影図である。このものは、表示パネル１ａから放出される光によって歩行者が誘導される埋め込み型表示灯Ａである。
【０００９】
この埋め込み型表示灯Ａは、光を透過する表示パネル１ａが路面１０ａと略同一面になるように埋設される表示部１と、表示パネル１ａよりも下方に設けられた発光部３と、内部に発光部３を収納するとともに表示部１が密閉状態で取付けられる本体部４と、を備えて構成されている。
表示部１は、透光性の樹脂材料で形成された表示パネル１ａと、これをはめ込むための枠１ｂと、により構成されている。表示パネル１ａは、方形をなした薄板状のものであり、人がこれを踏みつけても耐えうるだけの強度を備えたものが使用されている。枠１ｂは、取り付け孔を有している。この取り付け孔は、枠１ｂの内側に表示パネル１ａが嵌め込まれた状態で、枠１ｂを本体部４に密閉状態で取付けするものである。
【００１０】
発光部３は、第１光源３ａ１と第２光源３ａ２とが背中合わせに配置された光源部３ａと、光源部３ａを実装する実装３Ｐと、を備えて構成されている。第１光源３ａ１は、青色係又は緑色係の砲弾型の発光ダイオードである。この第１光源３ａ１は指向性を有しており、その光は図１、図４に示すように表示パネル１ａから垂直方向に鋭角Θ４であって水平方向に第１の範囲Θ２で放出される第１の放出光Ｘ１を構成するものである。具体的には、Θ４は、１０〜６０°程度、Θ２は、１００〜１７０°程度のものであればよい。第２光源３ａ２は、赤色係の砲弾型の発光ダイオードである。この第２光源３ａ２は指向性を有しており、その光は図１、図４に示すように表示パネル１ａから垂直方向に鋭角Θ３であって水平方向に第２の範囲Θ１で放出される第２の放出光Ｘ２を構成するものである。具体的には、Θ３は、１０〜６０°程度、Θ１は、１００〜１７０°程度のものであればよい。
【００１１】
図１、図４からもわかるように第１の放出光Ｘ１は図の左側に向けて放出されるものであり、第２の放出光Ｘ２は図の右側に向けて放出されるものであり、第１の放出光Ｘ１と第２の放出光Ｘ２とは、光の放出される向きが反対方向であり、その照射範囲も左右で略対称なものとなっている。
そして、光源部３ａは、砲弾型をした第１光源３ａ１の先端の向きを一方向（図１の場合、左側）に揃えて、表示パネル１ａの下方に整列配置して実装基板３Ｐ上に並べられている。
【００１２】
本体部４は、金属材料により形成され上部が開口した箱型をなしている。そして、その内部には、発光部３と、発光部３に電源を供給する電源部と、発光部３を制御する制御部と、が収納されている。そして、本体部４の開口に表示部１を密着取り付けすることで、内部に水などが浸入しないようにしている。
【００１３】
次に、このものの設置の仕方を説明する。このものは、図５、図６に示すように通路に沿って線状に点在させて設置される。（以下、このように設置された埋め込み型表示灯を歩行者誘導用表示システムと称する。）そして、歩行者誘導用表示システムを通路の両側に設け、通路に沿って両側の歩行者誘導用表示システムを見たときに一方側に設けられた歩行者誘導用表示システムと他方側に設けられた歩行者誘導用表示システムとで色が異なって見えるものとして設置される。具体的には、図６のように、通路に向かって左側（１０Ｌ）に線状に点在させた埋め込み型表示灯は、青色係又は緑色係の光を放つ第１の放出光が手前側になるように並べられ、通路に向かって右側（１０Ｒ）に線状に点在させた埋め込み型表示灯は、赤色係の光を放つ第２の放出光が手前側になるように並べられている。これにより図６の左側の人（歩行者）が、図の手前側から奥側に向かって歩行するときは、一方側（左側）に設けられた歩行者誘導用表示システムは、青色係又は緑色係の光を放つものとなり、他方側（右側）に設けられた歩行者誘導用表示システムは、赤色係の光を放つものとなる。
【００１４】
この実施の形態によると、表示パネル１ａは、歩行者が埋め込み型表示灯Ａに向かって進む方向により、同歩行者から見たときの色が異なって見えるものであるので、例えば、ある方向から表示パネル１ａを見たときに赤色、この反対側から見たときに青色、に見えるものにしておけば、歩行者が通路を進行するときは、青色の光に導かれるので、より自然と歩行者の誘導が行えるものとなる。
【００１５】
また、表示部１は、表示パネル１ａから垂直方向に鋭角Θ４であって水平方向に第１の範囲Θ２で放出される第１の放出光Ｘ１と、表示部１から垂直方向に鋭角Θ３であって水平方向に前記第１の範囲とは異なる第２の範囲Θ１で放出される第２の放出光と、を放つものであり、第１の放出光Ｘ１と第２の放出光Ｘ２とを色の異なる光としたことにより、例えば、第１の放出光Ｘ１を青色、第１の放出光Ｘ２を赤色、に見えるものにしておけば、歩行者が通路を進行するときは、所定の方向から進むときときは、表示パネル１ａが例えば青色と見え、これとは違う方向から進むときとでは、表示パネル１ａが赤色と見えるので、自然と歩行者は、青色の光に導かれて歩行するようになる。
【００１６】
また、第１の放出光Ｘ１を放つための指向性を有する第１光源３ａ１と第２の放出光Ｘ２を放つための指向性を有する第２光源３ａ２とを背中合わせに配置した光源部３ａを複数設け、この複数の光源部３ａを第１光源３ａ１の向きを揃えて表示パネル１ａの下方に配置して発光部３を構成したことにより、第１の放出光Ｘ１も第２の放出光Ｘ２もともに表示パネル１ａの表示面全体から放出させることができるものとなるので、表示パネル１ａが発光しているときの見栄えが良いものとなる。（表示パネル１ａの半面のみが光っているという状況がなくなる。）
【００１７】
また、この埋め込み型表示灯Ａを通路に沿って第１の放出光Ｘ１が同じ向きになるように線状に点在させたことにより、通路が一方通行であることが認識しやすいものとなる。
【００１８】
さらに、歩行者誘導用表示システムを通路の両側に設け、通路に沿って両側の歩行者誘導用表示システムを見たときに一方側に設けられた歩行者誘導用表示システムと他方側に設けられた歩行者誘導用表示システムとで色が異なって見えるものとしたことにより、その通路は、右側通行（又は左側通行）であることが認識しやすいものとなる。
【００１９】
（第２の実施の形態）
本発明の請求項１、２対応した第２の実施の形態を図７を用いて説明する。図７は、埋め込み型表示灯Ａを側方から見たときの断面図である。このものは、第１の実施の形態における埋め込み型表示灯Ａの光源部３ａを変えたものである。図において、発光部３は、表示パネル１ａの中心より一方側に設けられた第１光源３ａ１と、中心より他方側に設けられた第２光源３ａ２と、第１光源３ａ１と第２光源３ａ２とを実装する実装基板３Ｐと、を備えて構成されている。
【００２０】
第１光源３ａ１は、青色係又は緑色係の砲弾型の発光ダイオードである。この第１光源３ａ１は指向性を有しており、その光は第１の実施の形態における埋め込み型表示灯Ａで説明したものと同様に、第１の放出光Ｘ１を放出する。また、第２光源３ａ２は、赤色係の砲弾型の発光ダイオードである。この第２光源３ａ２は指向性を有しており、その光は第１の実施の形態における埋め込み型表示灯Ａで説明したものと同様にと第２の放出光Ｘ２を放出する。その他の第１の実施の形態と同一の構成部材には同一符号を付すことにより説明を省略する。この実施の形態によると、発光部３の構成を単純なものにできる。
【００２１】
なお、このものにおいて表示パネル１ａの中心下方に位置する第１光源３ａ１と第２光源３ａ２の境界付近に、第１光源３ａ１と第２光源３ａ２の光を分断する反射板を立設してもよい。このようにすれば第１光源３ａ１からでる光の色と第２光源３ａ２からでる光の色が混ざり合わない上に、第１光源３ａ１と第２光源３ａ２から出た光を所望の方向に効率よく放出できるものとなる。
【００２２】
また、第１の実施の形態と第２の実施の形態において、催し物がなく規制が不要なときや駅周辺などで時間帯によって規制が不要なときは、この埋め込み型表示灯は、発光しないものにしておけばよい。
【００２３】
また、第１の実施の形態と第２の実施の形態において、第１光源３ａ１は、青色係又は緑色係の光のみを放ち、第２光源３ａ２は、赤色係の光のみを放つもので説明を行なったが、第１光源３ａ１と第２光源３ａ２がともに、赤色係の光と、青色係又は緑色係の光と、を放つものとして、使用状態において第１光源３ａ１と第２光源３ａ２の色を異なる色にしてもよい。この場合は、前記した規制が不要なときは、第１光源３ａ１と第２光源３ａ２ともに青色係又は緑色係の光を放つものにしておくこともできる。
【００２４】
また、通路によっては、催し物の始まる前と後では、一方通行の向きが変わることや右側通行であったものが左側通行になることがある。（右側と左側で道幅がちがうときなどの場合など）このようなときに、第１光源３ａ１と第２光源３ａ２がともに、赤色係の光と、青色係又は緑色係の光と、を放つものであれば、適宜、赤色係の光と、青色係又は緑色係の光と、を放つ向きを催し物の始まる前と後で切り替えることにより、一方通行の向きを変えることや右側通行であったものを左側通行に変えることができる。
【００２５】
（第３の実施の形態）
本発明の請求項１、３、５、６に対応した第３の実施の形態を図８〜１０を用いて説明する。図８は、埋め込み型表示灯ＡＡを側方から見たときの断面図、図９はこのものの平面図、図１０は歩行者誘導用表示システムの上面図である。このものは、第１の実施の形態における埋め込み型表示灯Ａの光源部３ａを変えたものである。
【００２６】
図において、発光部３は、第１の放出光Ｘ１を放つための指向性を有する第１発光部３Ｌと、第２の放出光Ｘ２を放つための指向性を有する第２発光部３Ｋと、第３の放出光Ｘ３を放つための指向性を有する第３発光部３Ｍと、第４の放出光Ｘ４を放つための指向性を有する第４発光部３Ｎと、を備えている。そして、第１発光部３Ｌを表示部１ａの周縁右側（一方側）の下方に、第２発光部３Ｋを表示部１ａの周縁左側（他方側）の下方に、第３発光部３Ｍを表示部１ａの周縁奥側の下方に、第４発光部３Ｎを表示部１ａの周縁手前側の下方に、配置している。
【００２７】
第１発光部３Ｌは、複数の第１光源３Ｌ１を一列に並べて構成されている。第１光源３Ｌ１は、放出する光に指向性を有した緑色係の砲弾型の発光ダイオードである。
第２発光部３Ｋは、複数の第２光源３Ｋ１を一列に並べて構成されている。第２光源３Ｋ１は、放出する光に指向性を有した赤色係の砲弾型の発光ダイオードである。
第３発光部３Ｍは、複数の第３光源３Ｍ１を一列に並べて構成されている。第３光源３Ｍ１は、放出する光に指向性を有した橙色係の砲弾型の発光ダイオードである。
第４発光部３Ｎは、複数の第４光源３Ｎ１を一列に並べて構成されている。第４光源３Ｎ１は、放出する光に指向性を有した青色係の砲弾型の発光ダイオードである。
【００２８】
ここで、第１の放出光Ｘ１は、第１の実施の形態にて説明したものとおなじで表示パネル１ａから垂直方向に鋭角Θ４であって水平方向に第１の範囲Θ２で放出されるものである。同様に第２の放出光Ｘ２は、表示パネル１ａから垂直方向に鋭角Θ３であって水平方向に第２の範囲Θ１で放出されるものである。また、第３の放出光Ｘ３や第４の放出光Ｘ４に関しても、その向きと色が違うだけで、第１の放出光Ｘ１と同様に表示パネル１ａから垂直方向に鋭角Θ４であって水平方向に第１の範囲Θ２で放出されるものである。その他の第１の実施の形態と同一の構成部材には同一符号を付すことにより説明を省略する。
【００２９】
このように構成された埋め込み型表示灯ＡＡは、表示パネル１ａから垂直方向に鋭角であって水平方向に所定の範囲で放出される放出光を複数放つとともに、この複数の放出光が互いに色の異なる光で水平方向にずれて発光するものとなる。従って、このものを図１０のような十字路に設ければ、東西南北４方向に歩行者を導くことができるものとなる。
【００３０】
次に、第３の実施の形態の応用例を説明する。図１１は、埋め込み型表示灯を側方から見たときの断面図である。このものは、第３の実施の形態における埋め込み型表示灯ＡＡの光源部３と表示分１を変えたものである。
【００３１】
図において、発光部３は、第１の放出光Ｘ１を放つための指向性を有する第１発光部３Ｌと、第２の放出光Ｘ２を放つための指向性を有する第２発光部３Ｋと、で構成されている。
【００３２】
表示部１は、その下方にプリズム１ｅを備えている。このプリズム１ｅは、透光性部材で形成されている。そしてプリズム１ｅの上面は、鋸刃状に波打った凹凸があり、この凹凸は、中心線Ｘ−Ｘ´で線対称に設けられている。そして、第２発光部３Ｋから放出された光は、第２の放出光Ｘ２として表示パネル１ａから放出される。この第２の放出光Ｘ２は、第２発光部３Ｋから遠ざかるに従って表示パネル１ａから垂直方向に放出される角度が小さなものとなっている。
このようにすることで歩行者が表示パネル１ａを見たときに遠くからでも近くからでも見やすいものにすることができる。
【００３３】
なお、第１の実施の形態、第２の実施の形態、第３の実施の形態のいずれにおいても、第１の放出光Ｘ１の表示パネル１ａから垂直方向に放出する角度と水平方向の範囲（角度）と、第２の放出光Ｘ２の表示パネル１ａから垂直方向に放出する角度と水平方向の範囲（角度）と、を同じものにしているが、通路の高低や幅の変わり具合等に応じて適宜の角度に選定すればよい。
【００３４】
（第４の実施の形態）
次に、第４の実施の形態を説明する。図１２は、歩行者誘導用表示システムを上から見たときの模式図である。このものは、第１の実施の形態における埋め込み型表示灯Ａの第１光源３ａ１と第２光源３ａ２とに複数の色で発光することができる発光ダイオードを使用したものである。
【００３５】
図１２は、所定のスタート地点から複数の目的地点までに歩行者を誘導させるものとして、この埋め込み型表示灯Ａを使用したものである。このものは、所定のスタート地点１６から複数の目的地点ｅ、ｆ、ｇまでの途中に分岐点がある。
【００３６】
このものは、スタート地点１６から目的地点ｅ、ｆ、ｇまでに向かうときすなわちアの方向に歩行者が進行したときに表示パネル１ａが見える色と、目的地点ｅ、ｆ、ｇからスタート地点１６に向かうときすなわちイの方向に歩行者が進行するときに表示パネル１ａが見える色と、では、異なるように歩行者誘導用表示システムを構成している。
【００３７】
このものは、例えば、目的地点ｅを赤、目的地点ｆを緑、目的地点ｇを黄と個別の色を定め、各々の目的地までは、表示パネル１がこの色で表示されることで、歩行者を各々の目的地に誘導するものである。このものにおいて１９の区間は、埋め込み型表示灯Ａの表示パネルは、赤（３秒）→緑（３秒）→黄（３秒）と所定の点灯時間の点灯を複数の発光色にわたって繰り返して点灯させることで、目的地点ｅ、ｆ、ｇに対応した色を発光することができる。また、１８の区間は、埋め込み型表示灯Ａの表示パネルは、赤（３秒）→緑（３秒）と所定の点灯時間の点灯を複数の発光色にわたって繰り返して点灯させるようにする。また、２０の区間は、埋め込み型表示灯Ａの表示パネルは、赤で点灯させる。同様に、２１の区間は、埋め込み型表示灯Ａの表示パネルは、緑で点灯させる。２２の区間は、埋め込み型表示灯Ａの表示パネルは、黄で点灯させる。
逆に、目的地点ｅ、ｆ、ｇからスタート地点１６に向かうときすなわちイの方向に歩行者が進行するときは、すべて青で点灯されるものとしておく。
【００３８】
このものは、例えば、鉄道の駅からバスターミナルへの案内に使用し、スタート地点１６を駅、目的地点ｅ、ｆ、ｇをバスの停留所、とすることで、通路の規制だけではなくその案内という別の用途での使い方ができるものとなる。
【図面の簡単な説明】
【００３９】
【図１】本発明の第１の実施の形態に係る図で、埋め込み型表示灯を側方から見たときの断面図である。
【図２】同上の埋め込み型表示灯の断面図である。
【図３】同上の埋め込み型表示灯を路面に埋設したときの説明図である。
【図４】同上の埋め込み型表示灯を上部から見た図で表示パネルから放出される放出光を説明するための模式図である。
【図５】同上の埋め込み型表示灯を通路に設置して歩行者誘導用表示システムとしたときの上面図である。
【図６】同上の埋め込み型表示灯を通路に設置して歩行者誘導用表示システムとしたときの投影図である。
【図７】本発明の第２の実施の形態に係る図で、埋め込み型表示灯を側方から見たときの断面図である。
【図８】本発明の第３の実施の形態に係る図で、埋め込み型表示灯を側方から見たときの断面図である。
【図９】同上の埋め込み型表示灯の平面図である。
【図１０】同上の埋め込み型表示灯を通路に設置して歩行者誘導用表示システムとしたときの上面図である。
【図１１】同上の埋め込み型表示灯の応用例を示す図で側方から見たときの断面図である。
【図１２】本発明の第４の実施の形態に係る図で、歩行者誘導用表示システムを上から見たときの模式図である。
【図１３】従来例に係る埋め込み型表示灯の平面図である。
【図１４】同上の埋め込み型表示灯を基台に取り付けたときの断面図である。
【符号の説明】
【００４０】
１      表示部
１ａ    表示パネル
３      発光部
３ａ    光源部
３ａ１  第１光源
３ａ２  第２光源
３Ｌ    第１発光部
３Ｋ    第２発光部
４      本体部
１０    通路
１０ａ  路面
Ｘ１    第１の放出光
Ｘ２    第２の放出光
Ａ      埋め込み型表示灯
【図１】
2005344306.tif 000003
【図２】
2005344306.tif 000004
【図３】
2005344306.tif 000005
【図４】
2005344306.tif 000006
【図５】
2005344306.tif 000007
【図６】
2005344306.tif 000008
【図７】
2005344306.tif 000009
【図８】
2005344306.tif 000010
【図９】
2005344306.tif 000011
【図１０】
2005344306.tif 000012
【図１１】
2005344306.tif 000013
【図１２】
2005344306.tif 000014
【図１３】
2005344306.tif 000015
【図１４】
2005344306.tif 000016